(57)【特許請求の範囲】
【請求項１】
複数のファンモータと、各々の同ファンモータに連結されたファンと、熱交換器と、外気温度を検出する外気温度検出手段と、複数の前記ファンモータに駆動電力を供給する制御手段とを備えた空気調和機の室外機であって、
前記制御手段と複数の前記ファンモータとの間は、前記制御手段から複数の前記ファンモータ毎に駆動電力が供給できるよう配線がなされており、
前記制御手段は、複数の前記ファンモータ毎の配線の接続状態の正誤を判定する接続判定モードを有し、
いくつかの前記ファンモータを選択して駆動するとき、
全ての前記ファンモータを駆動していた際に前記外気温度検出手段で検出した外気温度のうち最新の外気温度を最新外気温度と決定し、
前記外気温度検出手段で検出した第１の外気温度が前記最新外気温度に所定温度を加えた温度以上となれば、前記接続判定モードを実行することを特徴とする空気調和機の室外機。
【請求項２】
前記制御手段は、複数の前記ファンモータ全てを駆動する必要がない場合は、前記外気温度検出手段の近傍に配置されたいくつかの前記ファンモータを選択し同ファンモータを駆動することを特徴とする請求項１に記載の空気調和機の室外機。
【請求項３】
前記制御手段は、前記接続判定モードを実行する際は、前記選択したいくつかのファンモータを停止するとともに、これ以外の全ての前記ファンモータを駆動し、前記外気温度検出手段で検出した第２の外気温度が前記最新外気温度以下であれば、前記ファンモータへの配線が間違いであると判断することを特徴とする請求項１および請求項２に記載の空気調和機の室外機。
【請求項４】
前記制御手段は、前記接続判定モードにおいて、前記ファンモータへの配線が間違いであると判断した場合は、同配線の間違いに対応した前記ファンモータの駆動制御を行うことを特徴とする請求項１乃至請求項３に記載の空気調和機の室外機。
【発明の詳細な説明】
【技術分野】
【０００１】
本発明は、空気調和機の室外機に関わり、より詳細には、室外機に備えられた複数のファンの運転制御を正確に行える空気調和機の室外機に関する。
【背景技術】
【０００２】
従来、マンションや一般家屋等の建物に設置される空気調和機として、屋外に設置される室外機と、室外機に冷媒配管接続され、屋内の天井や壁面に設置される少なくとも１台の室内機とを有するものが存在する。このうち、室外機は、圧縮機、熱交換器、膨張弁等が順次冷媒配管にて接続される冷媒回路と、ファンモータによって回転する２台のファンとを備えるものがあり、これらのファンを回転させることで、室外機に外気を取り込み、熱交換器において冷媒と外気とを熱交換させた後、室外機外へ熱交換後の外気を排出する（例えば、特許文献１）。
【０００３】
上記のようなファンを２台備える室外機では、空気調和機が冷房運転を行っている場合、つまり、室外機の熱交換器が凝縮器として機能する場合に、外気温度が低い時に２台のファンを回転させると熱交換器における熱交換量が多くなって、室外機の熱交換器における凝縮能力が室内機で必要とされる運転能力以上となる。このような場合は、２台のファンのうちいずれか一方のファンのみ回転させることで、室外機に取り込む外気量を減少させて熱交換器における熱交換量を減少させるとともに、１台のファンを停止することにより室外機の消費電力を低減させる。
【０００４】
回転させるファンの選択は、例えば、外気温度を検出する外気温度センサや、室外機の制御基板や電源基板等の発熱量の大きい基板類およびリアクタやパワーモジュール等の発熱量の大きい部品を格納した電装品箱の近傍に配置されているファンを選択する。外気温度センサや電装品箱から離れたファンを選択して回転させると、外気温度センサの周囲や電装品箱の周囲における外気の流通量が低下する虞がある。外気の流通量が低下すると、熱交換器や電装品箱から放出される熱による影響で外気温度センサでの外気温度の検出を正確に行えなくなる虞があり、また、電装品箱の冷却効率も低下する。このような問題を防ぐため、１台だけファンを回転させる場合には、外気温度センサや電装品箱近傍のファンを回転させる。
【先行技術文献】
【特許文献】
【０００５】
【特許文献１】特開２００９−８５４８１号公報（第５〜６頁、第２図）
【発明の概要】
【発明が解決しようとする課題】
【０００６】
しかしながら、上述した空気調和機の室外機では、工場での組立て時やメンテナンス作業におけるファンモータの交換時等に、2台のファン各々を回転させるファンモータへ駆動電力を供給するための配線（例えば、電源基板から２台のファンモータ毎に接続される電源ラインの接続）を間違う虞がある。配線が間違われた場合、空気調和機の制御手段が、外気温度センサや電装品箱の近傍に配置されているファンのみ回転させようとしてこのファンのファンモータに運転指示を行っても、他方のファンモータが駆動して、外気温度センサや電装品箱から遠くに配置されている他方のファンが回転することとなり、正確な外気温度の検出や適切な電装品箱の冷却が行えない虞があった。
【０００７】
本発明は以上述べた問題点を解決するものであって、複数台備えられたファンを回転させるファンモータへの配線が間違っていても、特定のファンを回転できる空気調和機の室外機を提供することを目的とする。
【課題を解決するための手段】
【０００８】
上記した課題を解決するために、本発明の空気調和機の室外機は、複数のファンモータと、各々のファンモータに連結されたファンと、熱交換器と、外気温度を検出する外気温度検出手段と、複数のファンモータに駆動電力を供給する制御手段とを備えるものである。制御手段と複数のファンモータとの間は、制御手段から複数のファンモータ毎に駆動電力が供給できるよう配線がなされており、制御手段は、複数のファンモータ毎の配線の接続状態の正誤を判定する接続判定モードを有している。そして、制御手段は、判定の結果、ファンモータへの配線が間違いであると判断した場合は、ファンモータの駆動制御を配線の間違いに対応して行なうものである。
【発明の効果】
【０００９】
上記のように構成した本発明の空気調和機の室外機では、室外機の制御手段は、ファンモータ毎の配線の接続状態の正誤を判定する接続判定モードを有しており、判定の結果、ファンモータへの配線が間違いであると判断した場合は、ファンモータの駆動制御を配線の間違いに対応して行なう。これにより、特定のファンモータを選択的に駆動してこれに対応するファンを回転させたい場合に、ファンモータへの配線が間違っていた場合であっても、確実に希望するファンモータを駆動してこれに対応するファンを回転させることができるので、正確な外気温度の検出や確実な電装品箱の冷却が行える。
【図面の簡単な説明】
【００１０】
【図１】本発明による室外機の前面側を示す外観斜視図である。
【図２】本発明による室外機の背面側を示す外観斜視図である。
【図３】本発明による室外機の内部構造を示す概略斜視図である。
【図４】本発明による室外機のファンの制御ブロック図である。
【図５】本発明による室外機における接続判定時の制御を説明するフローチャートである。
【発明を実施するための形態】
【００１１】
以下、本発明の実施の形態を、添付図面に基づいて詳細に説明する。実施例としては、室外機と、室外機に冷媒配管接続される少なくとも１台以上の室内機とで構成される空気調和機であって、室外機にファンが２台設けられているものを例に挙げて説明する。尚、本発明は以下の実施形態に限定されることはなく、本発明の主旨を逸脱しない範囲で種々変形することが可能である。
【実施例】
【００１２】
図１乃至図３に示すように、本実施例による空気調和機の室外機１は、略直方体形状の筐体を有している。この筐体の外郭は、主に鋼板を加工し一方の側面パネルを兼ねる前面パネル１ａと、他方の側面パネルを兼ねる背面パネル１ｄと、サービスパネル１ｍと、底板１ｈと、天板１ｎと、前面配管カバー１ｔと、側面配管カバー１ｗから構成されている。前面パネル１ａおよび背面パネル１ｄの一部と、前面配管カバー１ｔおよび側面配管カバー１ｗの下端は、底板１ｈの周囲のフランジにネジ止めによって組付けられ、前面パネル１ａおよび背面パネル１ｄの上端が天板１ｎによって塞がれるよう、天板１ｎが前面パネル１ａおよび背面パネル１ｄにネジ止めによって組付けられる。
【００１３】
尚、以下の説明では、室外機１の筐体において、図１で前面パネル１ａが配置された方を前面、その反対面を背面とし、前面パネル１ａを正視したときにサービスパネル１ｍが配置された方を右側面、その反対面を左側面として説明を進める。
【００１４】
室外機１の筐体内部は、仕切板である上部仕切板６１と下部仕切板５０とによって送風機室１０と機械室１１とに区画されている。送風機室１０には、主として上方ファン２０ａと，下方ファン２０ｂと、熱交換器３０とが設けられている。熱交換器３０は上面から見て略Ｌ字形状に形成され、室外機１の筐体の左側面から背面に沿うように配置されている。上方ファン２０ａおよび下方ファン２０ｂは後述する上方ファンモータ２１ａおよび下方ファンモータ２１ｂに各々取付けられており、上方ファンモータ２１ａおよび下方ファンモータ２１ｂが熱交換器３０に固定されたモータ支持体に上下に所定の間隔をあけて取り付けられることにより、上方ファン２０ａが送風機室１０内の上方に，下方ファン２０ｂが送風機室１０内の下方に、各々配置される。
【００１５】
機械室１１には、圧縮機やアキュムレータ、四方弁および配管が収容されている。機械室１１の上部には電装品箱６０が配置されており、電装品箱６０は、電装品箱６０を受ける底面板６２で下部仕切板５０に固定される。下部仕切板５０は、図３に示すように、送風機室１０側に突出するように折り曲げられており、一方の側端を前面パネル１ａの右端に固定し、他方の側端を熱交換器３０の図示しない背面側の配管出口に固定された鋼板であり、下端は底板１ｈに接している。
【００１６】
前面パネル１ａは、図１および図２に示すように、室外機１の前面から左側面に上面から見て略Ｌ字形状に折り曲げて形成された鋼板であり、室外機１の筐体前面の送風機室１０側および室外機１の左側面全体を覆うように配置されている。前面パネル１ａの前面側には、上方ファン２０ａおよび下方ファン２０ｂと対応する位置に円状に開口され、上方ファン２０ａと下方ファン２０ｂとにより室外機１の送風機室１０内に吸い込まれた空気を外部に排気する２個の吹出口１ｓが設けられ、各々の吹出口１ｓを覆うようにファンガード１ｂが被せられている。また、前面パネル１ａの左側面側には、複数の孔からなる吸込口１ｑが設けられている。
【００１７】
背面パネル１ｄは、室外機１の背面から右側面に上面から見て略Ｌ字形状に折り曲げて形成された鋼板であり、室外機１の機械室１１背面を覆い、また、室外機１の右側面を後述するサービスパネル１ｍとともに覆うように配置されている。また、背面パネル１ｄの背面側下部には、上方ファン２０ａと下方ファン２０ｂとにより機械室１１に外気を取り入れるための吸気孔１ｆが開口されている。
【００１８】
サービスパネル１ｍは、図１に示すように、室外機１の前面から右側面に上面から見て略Ｌ字形状に折り曲げて形成された鋼板であり、室外機１の機械室１１側を覆い、また、室外機１の右側面を背面パネル１ｄとともに覆うように配置されている。サービスパネル１ｍは、室外機１のメンテナンス作業時に機械室１１にアクセスしやすいよう、着脱可能に取り付けられている。
【００１９】
尚、室外機１の筐体背面側は、図２に示すように、背面パネル１ｄの側端と前面パネル１ａの側端との間は、上方ファン２０ａと下方ファン２０ｂとにより送風機室１０に外気を取り入れるための背面吸込口１ｅとなっている。背面吸込口１ｅには熱交換器３０が露出しており、背面吸込口１ｅには保護部材１ｇが設けられている。また、背面吸込口１ｅの上部右側に対応する箇所であり熱交換器３０の背面吸込口１ｅ側には、外気温度検出手段である外気温度センサ４０が、図示しないスペーサによって取り付けられている。
【００２０】
底板１ｈは、図３に示すように、略直方形の鋼板であり、その周縁部は上方に略直角に折り曲げられたフランジを有する。また、底板１ｈの下面には、室外機１の前後方向に延び室外機１を地面等に設置するための脚部１ｃが左右にそれぞれ設けられている。
【００２１】
天板１ｎは、図１および図２に示すように、略直方形の鋼板であり、天板１ｎの周縁部は下向きに折り曲げられたフランジを有する。天板１ｎは、前面パネル１ａ、サービスパネル１ｍおよび背面パネル１ｄの各上端とネジ止めによって組み付けられる。尚、図示はしないが、天板１ｎの電装品箱６０側の裏側には断熱材が貼り付けられている。
【００２２】
次に、図１乃至図４を用いて、本実施例における空気調和機の室外機１で、上方ファンモータ２１ａおよび下方ファンモータ２１ｂへの電源ラインの接続正誤判定を行う方法および判定結果に基き上方ファンモータ２１ａおよび下方ファンモータ２１ｂを駆動する具体的な方法について説明する。
尚、本実施例における室外機１は、起動時は上方ファン２０ａと下方ファン２０ｂとをともに回転させるとする。また、外気温度センサ４０で検出した外気温度は常時制御手段１００が取り込んで時系列で記憶しているものとする。
【００２３】
図４に示すように、室外機１には、上述した上方ファン２０ａおよび下方ファン２０ｂと、上方ファンモータ２１ａおよび下方ファンモータ２１ｂと、熱交換器３０と、外気温度センサ４０の他に、制御手段１００を備えている。制御手段１００は、電装品箱６０に格納された図示しない制御基板に設けられており、主に、図示しない電源回路から直流電力を入力し上方ファンモータ２１ａおよび下方ファンモータ２１ｂへ駆動電力を個別に供給あるいは供給停止が行える電源部１２０と、電源部１２０を制御し内部に図示しない記憶部や計時部を有したＣＰＵ１１０とを備えている。ＣＰＵ１１０は、室内機から送信される室外機１の制御内容を含んだ通信データを受信し、また、外気温度センサ４０や室外機１の冷媒回路に備えられた図示しない圧力センサや温度センサでの検出値を取り込む。ＣＰＵ１１０は、これら受信もしくは取り込んだ各種情報に基いて、電源部１２０を介して上方ファンモータ２１ａや下方ファン２１ｂの駆動制御を行い、また、機械室１１に配置された圧縮機や各種弁類等を制御する。
【００２４】
空気調和機が冷房運転を行っている際は、室外機１の熱交換器３０は凝縮器として機能する。この時、外気温度が低く熱交換器３０における外気と冷媒との熱交換量が大きい場合は、上方ファン２０ａと下方ファン２０ｂとを回転させれば室内機で必要とされる運転能力以上の熱交換器３０での熱交換量となる。このような状態では、上方ファン２０ａあるいは下方ファン２０ｂのうちどちらか一方のみを回転させて室外機１に取り込む外気量を減少させて熱交換器３０における冷媒と外気との熱交換量を減少させても十分な熱交換量が得られるため、ＣＰＵ１１０は、電源部１２０を介して上方ファンモータ２１ａあるいは下方ファンモータ２１ｂのうちどちらか一方の運転を停止する。
【００２５】
具体的には、上方ファンモータ２１ａおよび下方ファンモータ２１ｂは制御手段１００の電源部１２０と電源ライン（上方ファンモータ２１ａおよび下方ファンモータ２１ｂに駆動電力を供給するための接続ライン）で各々接続されており、図４に示すように、ＣＰＵ１１０は、電源部１２０を介して上方ファンモータ２１ａまたは下方ファンモータ２１ｂへの駆動電力の供給あるいは供給停止を行う。
【００２６】
ＣＰＵ１１０は、２台のファンを回転させている時の熱交換器３０での熱交換量が、室内機で必要とされる運転能力以上の熱交換器３０での熱交換量であり、上方ファンモータ２１ａあるいは下方ファンモータ２１ｂのうちどちらか一方の運転でよいと判断した場合は、電源部１２０を介して下方ファンモータ２１ｂへの駆動電力の供給を停止して下方ファン２０ｂの回転を停止し、上方ファンモータ２１ａにのみ駆動電力の供給を行って上方ファン２０ａのみを回転させる。
【００２７】
上方ファン２０ａのみを回転させるのは、次の理由による。図２に示すように、外気温度センサ４０は背面吸込口１ｅの上方に配置されており、また、図３に示すように、電装品箱６０は、機械室１１の上方に配置されている。そのため、上方ファン２０ａの回転を停止すると、外気温度センサ４０の周囲や電装品箱６０の周囲における外気の流通量が低下する虞がある。外気温度センサ４０の周囲や電装品箱６０の周囲における外気の流通量が少なくなると、熱交換器３０や電装品箱６０から放出される熱が外気温度センサ４０周囲に滞留し、滞留する熱による影響で外気温度センサ４０での外気温度の検出が正確に行えなくなり、また、電装品箱の冷却効率も低下する。従って、どちらか一方のファンのみ回転させる場合は、ＣＰＵ１１０は上方ファン２０ａのみを回転させて、外気温度センサ４０での検出精度の確保と電装品箱６０の効率的な冷却を行う。
【００２８】
室外機１の製造時、あるいは、メンテナンス作業において上方ファンモータ２１ａや下方ファンモータ２１ｂの交換を行う際に、作業者が誤って電源基板からの電源ラインと、上方ファンモータ２１ａあるいは下方ファンモータ２１ｂとの接続を逆にしてしまった場合、一方のファンのみを回転させたい状況で、意図しない側のファン、つまり、下方ファン２０ｂのみが回転することとなる。
【００２９】
この状態で室外機１の運転が続けられると、上述したように、外気温度センサ４０の周囲や電装品箱６０の周囲における外気の流通量が低下し、熱交換器３０や電装品箱６０から放出される熱が外気温度センサ４０周囲に滞留して外気温度センサ４０での外気温度の検出を正確に行えなくなり、また、電装品箱の冷却効率も低下する。
【００３０】
以上のような状態を回避するため。本実施例の室外機１は、上方ファンモータ２１ａおよび下方ファンモータ２１ｂへの配線の正誤を判断する接続判定モードを有している。ＣＰＵ１１０は、どちらか一方のファンのみを回転させる状況となった場合、つまり、本実施例においては上方ファンモータ２１ａのみ回転させる場合に、まずは接続判定モードを実行する必要があるか否かを判断する。
【００３１】
ＣＰＵ１１０は、上方ファンモータ２１ａのみ回転させる際は、電源部１２０を介して下方ファンモータ２１ｂへの駆動電力の供給を停止して下方ファン２０ｂの回転を停止し（上方ファン２０ａのみ回転している状態とし）、上方ファン２０ａと下方ファン２０ｂとをともに回転させていた時に外気温度センサ４０から取り込んで記憶した外気温度のうち、最新の外気温度を最新外気温度Ｔｎと決定する。次に、ＣＰＵ１１０は、上方ファンモータ２１ａのみ回転させてから外気温度センサ４０で検出した外気温度を取り込んでこれを第１の外気温度Ｔ１として記憶する。ＣＰＵ１１０は、第１の外気温度Ｔ１を継続して取り込み、取り込んだ第１の外気温度Ｔ１が記憶している最新外気温度Ｔｎより所定温度以上、例えば、１０℃以上となれば、ＣＰＵ１１０は図示しない計時部で時間計測を開始し、第１の外気温度Ｔ１が最新外気温度Ｔｎ＋１０℃以上である状態が所定時間、例えば５分間継続するか否かを判断する。そして、ＣＰＵ１１０は、第１の外気温度Ｔ１が最新外気温度Ｔｎ＋１０℃以上である状態が所定時間継続すれば、接続判定モードを実行する。
【００３２】
接続判定モードを実行する必要があるか否かを判断するために、第１の外気温度Ｔ１を監視する理由は以下の通りである。すなわち、上方ファン２０ａが回転していれば外気が流通し、第１の外気温度Ｔ１は最新外気温度Ｔｎと同じあるいはこれ以下となるが、上方ファン２０ａが停止していれば、熱交換器３０で冷媒と熱交換を行って温度が上昇した空気や電装品箱６０から放熱された熱によって、第１の外気温度Ｔ１が最新外気温度Ｔｎより高くなると考えられる。従って、第１の外気温度Ｔ１が最新外気温度Ｔｎ＋１０℃以上である状態が所定時間継続すれば、両ファンへの配線が間違っている可能性があると判断できる。
【００３３】
具体的には、ＣＰＵ１１０は、以下のように接続判定モードを実行する。ＣＰＵ１１０は、電源部１２０を介して上方ファンモータ２１ａへの駆動電力の供給を停止して上方ファン２０ａを停止する一方、下方ファンモータ２１ｂへの駆動電力の供給を開始して下方ファン２０ｂを回転させるとともに、ＣＰＵ１１０の計時部で時間計測を開始する。そして、ＣＰＵ１１０は、接続判定モード実行後から所定時間、例えば１０分間、上述した上方ファン２０ａの停止および下方ファン２０ｂの回転を継続し、所定時間経過後に外気温度センサ４０から第２の温度Ｔ２を取り込んで記憶する。そして、ＣＰＵ１１０は、第２の温度Ｔ２が記憶している最新外気温度Ｔｎ以下であるか否かを判断する。
【００３４】
電源部１２０と上方ファンモータ２１ａおよび下方ファンモータ２１ｂとの配線が反対となっている状態で、ＣＰＵ１１０が、電源部１２０を介して上方ファンモータ２１ａへの駆動電力の供給を停止するように、また、下方ファンモータ２１ｂへの駆動電力の供給を開始すれば、ＣＰＵ１１０による制御とは逆に、上方ファンモータ２１ａが駆動し、下方ファンモータ２１ｂが停止する。つまりは、上方ファン２０ａが回転し、下方ファン２０ｂが停止する。
【００３５】
このような状態では、外気温度センサ４０周囲や電装品箱６０周囲で外気が流通し、熱交換器３０で冷媒と熱交換を行って温度が上昇した空気や、電装品箱６０から放熱された熱が室外機１の外部へ放出されるので、外気温度センサ４０で検出した第２の外気温度Ｔ２が、最新外気温度Ｔｎ以下となる。これにより、ＣＰＵ１１０は各ファンモータと電源部１２０との配線が間違っていると判断する。配線が間違っていると判断したＣＰＵ１１０は、各ファンモータの制御が入れ替わるよう電源部１２０に指示する、つまりは、上方ファン２０ａのみを回転させたい場合は、電源部１２０を介して下方ファンモータ２１ｂに駆動電力を供給する。
【００３６】
以上説明したように、室外機１の制御手段１００は、上方に配置された上方ファン２０ａのみを回転させる制御を行っている際に、外気温度センサ４０での検出温度Ｔ１が所定時間、最新外気温度Ｔｎより所定温度以上高くなれば、接続判定モードを実行して電源部１２０と各ファンモータとの配線を確認し、これが間違い（反対）となっていれば、各ファンモータへの制御を入れ替えることによって、意図した（回転させたい）ファンを確実に回転させることができる。これにより、外気温度センサ４０での正確な外気温度検出が行えるとともに、電装品箱６０の効率的な冷却が行える。
【００３７】
尚、以上説明した実施例では、外気温度センサ４０および電装品箱６０が室外機１の送風機室１０上方に配置されており、どちらか一方のファンを回転させる場合には、上方ファン２０ａのみを回転させる室外機１を例に挙げて説明したが、外気温度センサ４０および電装品箱６０が室外機１の送風機室１０下方に配置されており、どちらか一方のファンを回転させる場合には、下方ファン２０ｂのみを回転させる室外機であってもよい。
【００３８】
また、室外機１にはファンが２台設けられている場合を例に挙げて説明したが、ファンが２台よりも多数、例えば、３台のファンが配置されており、各々のファンのうちいずれかの近傍に外気温度センサ４０および電装品箱６０が配置されている場合では、外気温度センサ４０や電装品箱６０の近傍に配置されている、３台のうちの１台もしくは２台のファンを回転させるというものでもよい。
【００３９】
次に、図５に示すフローチャートを用いて、本実施例の室外機１に備えられた制御手段１００のＣＰＵ１１０における、接続判定モード実行時の処理の流れについて説明する。尚、図５のフローチャートでは、ＳＴはステップを表しこれに続く数字はステップの番号を表している。尚、図５では本発明に関わる処理を中心に説明しており、圧縮機の回転数制御や各種弁類の開閉制御等といった、通常の室外機１の運転における処理の説明は省略している。
【００４０】
ＣＰＵ１１０は、室内機からの運転開始指示を受信して運転を開始すると、上方ファン２０ａと下方ファン２０ｂとをともに回転させ、また、外気温度センサ４０で検出した外気温度を常時取り込む。まず、ＣＰＵ１１０は、室内機からの運転モード指示が冷房運転であるか否かを判断する（ＳＴ１）。運転モードが冷房運転でなければ（ＳＴ１−Ｎｏ）、ＣＰＵ１１０は、ＳＴ１に処理を戻す。
【００４１】
運転モードが冷房運転であれば（ＳＴ１−Ｙｅｓ）、ＣＰＵ１１０は、２台のファンを回転させている時の熱交換器３０での熱交換量と室内機で必要とされる運転能力とを比較し、上方ファン２０ａのみの回転でよいか否かを判断する（ＳＴ２）。上方ファン２０ａおよび下方ファン２０ｂの回転が必要であれば（ＳＴ２−Ｎｏ）、ＣＰＵ１１０は、ＳＴ１に処理を戻す。
【００４２】
上方ファン２０ａのみの回転でよければ（ＳＴ２−Ｙｅｓ）、ＣＰＵ１１０は、電源部１２０を介して下方ファンモータ２１ｂへの駆動電力の供給を停止して下方ファン２０ｂを停止するとともに、記憶している２台のファンを回転させていた時に取り込んだ外気温度のうち、最新の外気温度を最新外気温度Ｔｎと決定する（ＳＴ３）。次に、ＣＰＵ１１０は、外気温度センサ４０で検出した第１の検出温度Ｔ１の取り込みを開始する（ＳＴ４）。
【００４３】
次に、ＣＰＵ１１０は、取り込んだ第１の検出温度Ｔ１が、最新外気温度Ｔｎ＋１０℃以上となったか否かを判断する（ＳＴ５）。第１の検出温度Ｔ１が最新外気温度Ｔｎ＋１０℃以上とならなければ（ＳＴ５−Ｎｏ）、ＣＰＵ１１０は、ＳＴ５に処理を戻す。
【００４４】
第１の検出温度Ｔ１が最新外気温度Ｔｎ＋１０℃以上となれば（ＳＴ５−Ｙｅｓ）、ＣＰＵ１１０は、時間計測を開始し（ＳＴ６）、第１の検出温度Ｔ１が最新外気温度Ｔｎ＋１０℃以上である状態が、時間計測を開始してから所定時間継続したか否かを判断する（ＳＴ７）。所定時間継続していなければ（ＳＴ７−Ｎｏ）、ＣＰＵ１１０は、ＳＴ１に処理を戻す。
【００４５】
所定時間継続していれば（ＳＴ７−Ｙｅｓ）、ＣＰＵ１１０は、電源部１２０を介してファンモータ２０ａへの駆動電力の供給を停止して上方ファン２０ａを停止し、下方ファンモータ２１ｂへの駆動電力の供給を開始して下方ファン２０ｂを回転させるとともに、時間計測を開始する（ＳＴ８）。
【００４６】
次に、ＣＰＵ１１０は、ＳＴ８の処理を行ってから所定時間経過したか否かを判断する（ＳＴ９）。所定時間経過していなければ（ＳＴ９−Ｎｏ）、ＣＰＵ１１０は、ＳＴ９に処理を戻す。所定時間経過していれば（ＳＴ９−Ｙｅｓ）、ＣＰＵ１１０は外気温度センサ４０で検出した第２の検出温度Ｔ２を取り込み（ＳＴ１０）、取り込んだ第２の検出温度Ｔ２が、最新外気温度Ｔｎ以下であるか否かを判断する（ＳＴ１１）。第２の検出温度Ｔ２が最新外気温度Ｔｎ以下であれば（ＳＴ１１−Ｙｅｓ）、ＣＰＵ１１０は、電源部１２０と各ファンとの配線が間違いであると判断し、ファンの制御を入れ替える（ＳＴ１２）、つまり、上方ファン２０ａを回転させたい場合は、電源部１２０を介して下方ファンモータ２１ｂに駆動電力の供給を行う。そして、ＣＰＵ１１０は、ＳＴ１に処理を戻す。
【００４７】
第２の検出温度Ｔ２が最新外気温度Ｔｎ以下でなければ（ＳＴ１１−Ｎｏ）、ＣＰＵ１１０は、各ファンへの配線が正しいと判断し、電源部１２０を介してファンモータ２０ａに駆動電力の供給を行って上方ファン２０ａを回転させるとともに、下方ファンモータ２１ｂへの駆動電力の供給を停止して下方ファン２０ｂを停止する（ＳＴ１３）。そして、ＣＰＵ１１０は、ＳＴ１に処理を戻す。
【００４８】
以上説明したように、本発明の空気調和機の室外機では、ファンモータ毎の配線の接続状態の正誤を判定する接続判定モードを有しており、判定の結果、ファンモータへの配線が間違いであると判断した場合は、ファンモータの駆動制御を配線の間違いに対応して行なう。これにより、特定のファンモータを選択的に駆動してこれに対応するファンを回転させたい場合に、ファンモータへの配線が間違っていた場合であっても、確実に希望するファンモータを駆動してこれに対応するファンを回転させることができるので、正確な外気温度の検出や適切な電装品箱の放熱が行える。
【符号の説明】
【００４９】
１  室外機
１ａ  前面パネル
１ｂ  ファンガード
１ｃ  脚部
１ｄ  背面パネル
１ｆ  吸気孔
１ｇ  保護部材
１ｈ  底板
１０  熱交換室
１１  機械室
２０ａ  上方ファン
２０ｂ  下方ファン
２１ａ  上方ファンモータ
２１ｂ  下方ファンモータ
３０  熱交換器
４０  外気温度センサ
６０  電装品箱
１００  制御手段
１１０  ＣＰＵ
１２０  電源部
【図１】
0005516466.tif 000002
【図２】
0005516466.tif 000003
【図３】
0005516466.tif 000004
【図４】
0005516466.tif 000005
【図５】
0005516466.tif 000006